(57)【特許請求の範囲】
【請求項１】
ホッパに投入されたごみ等の搬送物を所定の傾斜角度で上層部へ搬送する急傾斜形コンベヤ装置であって、コンベヤ立ち上がりコーナ部分の搬送物を載せる面から所定の距離離れた高さ位置に、搬送される前記搬送物の上部を掻き取るための掻き取り装置を設けたものにおいて、
前記掻き取り装置は、長さの異なる２枚の掻き板と、該２枚の掻き板がなす角度が所定の角度になるように固定して吊持する軸部材と、該軸部材を回転可能に支持をする承部材とからなり、前記承部材は前記コンベヤ立ち上がりコーナ部分のフレームに前記軸部材が水平になるように固定され、
前記長さの異なる２枚の掻き板は、搬送上流側の掻き板を長さの長い掻き板で構成し、搬送下流側の掻き板を長さの短い掻き板で構成されていることを特徴とする調量機付きコンベヤ。
【請求項２】
搬送上流側に位置する前記長さの長い掻き板と、搬送下流側に位置する前記長さの短い掻き板とは、前記長さの短い掻き板が搬送物の落下物により上から押されて回転することにより、前記長さの長い掻き板が上流側の搬送物をはねのけ後方に吐き出すことで搬送物の上部を掻き取ることができる角度に設定されていることを特徴とする請求項１に記載の調量機付きコンベヤ。
【発明の詳細な説明】
【０００１】
【発明の属する技術分野】
本発明は、調量機付きコンベヤに関する。さらに詳しく述べると、家庭やオフイスなどから出されるガラス瓶、ペットボトル、缶、プラスチック、紙などの容器、または不燃物と可燃物とが入り混じった都市ごみ、一般廃棄物や廃プラスチック、廃電子機器、廃オフイス機器等の各種産業廃棄物を、リサイクルまたは焼却するに際して好適な資源選別装置等の前処理装置や焼却炉に搬送するコンベヤに関するもので、上記の廃棄物を前処理装置や焼却炉に、ほぼ均一の量でコンスタントに供給することのできる急傾斜形コンベヤに関するものである。
【０００２】
【従来の技術】
従来、都市ごみ等の一般廃棄物や可燃物を含む産業廃棄物の処理方法の一つとして、廃棄物を焼却炉に投入して燃焼焼却し、排ガスとして排出させるとともに、不燃物を回収する方法が多用されているが、最近になり省資源、省エネルギ、リサイクル問題、環境保護等への関心が高まり、ごみ等の廃棄物を焼却炉に投入する前に、資源ごみの選別装置に供給して回収し、リサイクルできるものとそうでないものとに分別する必要性が高まってきている。
【０００３】
上記選別装置によって廃棄物の選別を安定して行うために、また廃棄物を焼却炉内で安定した燃焼を行うために、選別装置や焼却炉等に投入する廃棄物等の搬送物の供給量を調節し、一定量をコンスタントに供給することが重要な条件となる。
【０００４】
廃棄物の供給量を定量化し、かつ安定化する方法として、急傾斜形コンベヤを使用して定量的に廃棄物を切り出す方法がある。この方法は、通常、搬送物を上層階に搬送する場合に用いられるもので、コンベヤの傾斜角度を利用した自由落下により上層部への搬送量が一定量以上にならないよう計画される。
しかし、コンベヤの取付角度を過度に急傾斜にすると搬送量が減少し、緩傾斜にすると一度に大量の廃棄物が搬送されてしまうので、一定の傾斜角を持たせるが、それでも廃棄物は性状や大きさ及び形状等が種々雑多であり、よって、一定の傾斜角であっても、廃棄物の種類によって、大量に流れホッパ上部でアーチングを起こしホッパ外に飛び出したり、搬送されたりされなかったりするのが実情である。
【０００５】
そこで、上記の問題点を改善するために、例えば特開平１０−１９２２５号公報には、一度の多量の搬送物を投入する貯留受入ホッパを有するコンベヤの搬送量調節方法において、コンベヤ立ち上がり部に、搬送物の掻き取り装置を設けることによって、廃棄物の供給量を定量化し、かつ安定化する方法が提案されている。
【０００６】
この方法は、図５（ａ）に示すように、コンベヤ１の搬送路上に山盛りなった廃棄物Ｇの上部を掻き取るような円筒形または角筒形の固定式掻き取りバー２０を、コンベヤケーシングに固定的に取り付けることを特徴としている。
【０００７】
しかし、上記のような固定掻き取りバー２０をコンベヤケーシングに固定して取り付けてしまうと、掻き取りバー２０がコンベヤ上の搬送物に圧密作用を与えたり、異物対応ができなかったりして、コンベヤに一時的に大きな負荷を与えることになり、安定したコンベヤ稼動ができなくなったりするという問題を生ずる。
また、掻き取りバーが固定されていると、図５（ｂ）のように、上部からの落下物がバー２０の上に乗ってしまったり、場合によっては落下物の山に装置が埋もれてしまったりして、機能しない場合も生じるという問題があった。
【０００８】
そこで、本発明者は、図６（ａ）〜（ｃ）に示すようなコンベヤ立ち上がりコーナ部に設置する一枚板のヒンジ方式掻き板２１を考案したが、この方式では、落下物が生じたときに、下流側の搬送物の山と落下物の山との間に掻き板がはさまれて可動できないことがあり、従来のものと同様に、コンベヤ上の搬送物に圧密作用を与えて、コンベヤの過負荷にてトリップ（Ｔｒｉｐ）と呼ばれる詰まりや停滞現象を生じてしまうという問題があることが判明した。
【０００９】
【発明が解決しようとする課題】
このようなことから、廃棄物の搬送量を安定化し、かつ供給コンベヤの負荷変動を小さくしてトリップのない調量機付きコンベヤの開発が望まれていた。
そこで本発明の目的は、ホッパ内のごみ等の搬送物をコンベヤにより、落下の可能性がある角度をもって上層階へ搬送する装置において、搬送物に圧密負荷を与えない調量機付きコンベヤ構造を提案することにある。
【００１０】
本発明者らは、選別装置や焼却炉等に投入するごみ等の搬送物を落下の可能性がある角度をもって上層階へ搬送する場合において、搬送物を安定して定量的に搬送する方法について鋭意研究の結果、落下物が生じたときにも下流側の搬送物の山と落下物の山との間に掻き板がはさまれてトリップ等のトラブルを発生することがなく、落下物に対しても常に対応できるよう考慮された搬送量調整機構を開発した。
【００１１】
【課題を解決するための手段】
すなわち本発明者が提案するコンベヤは、ホッパに投入されたごみ等の搬送物を所定の傾斜角度で上層部へ搬送する急傾斜形コンベヤ装置であって、コンベヤ立ち上がりコーナ部分の搬送物を載せる面から所定の距離離れた高さ位置に、搬送される前記搬送物の上部を掻き取るための掻き取り装置を設けたものにおいて、前記掻き取り装置は、長さの異なる２枚の掻き板と、該２枚の掻き板がなす角度が所定の角度になるように固定して吊持する軸部材と、該軸部材を回転可能に支持をする承部材とからなり、前記承部材は前記コンベヤ立ち上がりコーナ部分のフレームに前記軸部材が水平になるように固定され、
前記長さの異なる２枚の掻き板は、搬送上流側の掻き板を長さの長い掻き板で構成し、搬送下流側の掻き板を長さの短い掻き板で構成されている。
また搬送上流側に位置する前記長さの長い掻き板と、搬送下流側に位置する前記長さの短い掻き板とは、前記長さの短い掻き板が搬送物の落下物により上から押されて回転することにより、前記長さの長い掻き板が上流側の搬送物をはねのけ後方に吐き出すことで搬送物の上部を掻き取ることができる角度に設定されている調量機付きコンベヤである。
【００１２】
【発明の実施の形態】
次に、本発明の実施の形態について図面を参照して説明する。図１は、本発明たる調量機付きコンベヤ１の一実施形態を示す側面図である。
図１に示すコンベヤ１はエプロンコンベヤで、下流側端にホッパ２を有し、上流側端に選別装置３を有している。
このコンベヤ１は、ホッパ２に投入されたガラス瓶、ペットボトル、缶、プラスチック、紙などの容器、または不燃物と可燃物とが入り混じったごみ等の廃棄物を所定傾斜角度で上方に搬送し、選別装置３に供給するものである。選別装置３はコンベヤ１により供給されてくる廃棄物を、回収してリサイクルできるものと、そうでないものとに分別する機能を有している。
【００１３】
コンベヤ１のコンベヤ立ち上がりコーナ部分４の搬送物を載せる面５から所定の空間を設けた高さ位置に、前記コンベヤに載って搬送される搬送物の上部を掻き取るための掻取り装置１０が設けられている。
この装置１０は、図２〜３にも示したように、長さの異なる２枚の掻き板１１，１２と、該２枚の掻き板を所定角度に固定して吊持する軸部材１３と、この軸部材を回転可能に支持する承部材１４と、この承部材をコンベヤ１のサイドカバー６に固定するフレーム１５とから構成されている。
【００１４】
掻き板装置１０の詳細を図２と３により、さらに具体的に説明する。
図３にも示すように、コンベヤ立ち上がりコーナ部分に、水平に設けた軸部材１３に、長さの異なる２枚の掻き板１１，１２を所定角度θを保つように固定する。軸部材１３の両端に承部材１４を設け、該軸部材１３に取り付けた２枚の掻き板１１，１２を、前記コンベヤの搬送物を載せる面５上に、フレーム１５を介して回転可能に保持している。前記２枚の掻き板１１，１２は、図２に示すように、横幅を同一寸法にし、かつその一方を他方よりも長く形成させておき、搬送上流側に位置する掻き板の長さは、搬送下流側に位置する掻き板の長さよりも長くなるように設定されている。
【００１５】
なお、図示例ではコンベヤ１の揚程高を１４ｍ、傾斜角を４５度、幅内寸が７５ｃｍとし、掻き板１１，１２の横幅が５００ｍｍ、掻き板の長さが８００ｍｍと１４００ｍｍ、軸長さが６８０ｍｍで、２枚の掻き板１１と１２とがなす角度θは６０度であり、軸部材１３は、ホッパ２の上部から少々低い位置（一例として３００〜４００ｍｍの位置）に取り付けられている。
【００１６】
【作用】
上記のように構成されている本発明の装置は、ホッパ２に投入されたごみ等の搬送物をコンベヤ１に載せ、所定傾斜角度で上方に搬送される際に、掻き取り装置１０がコンベヤに載って搬送される搬送物の上部を掻き取り、選別装置３や焼却炉等に投入する廃棄物等の搬送物の供給量を調節し、一定量をコンスタントに供給する。
コンベヤ上を移動するごみなどの搬送物Ｇはコンベヤの傾斜角度のため、ときに落下して掻き板付近に集合する。そして、搬送上流側に位置する掻き板（以下、上板１１という）の上面付近に堆積した落下物が一定量の重量に達すると、上板１１にモーメントが掛り、図４（ｂ）の矢示のように、掻き板１１と１２は回転して搬送物のイ部をはねのけ、ロ部は下方へ落下する。このロ部は、下方に大量の搬送物Ｇがなければ右回転し、図４（ｄ）のようにさらに下方へ落下するので搬送物に圧密作用を与えることがない。
一方、下方に大量の搬送物Ｇがある場合には、イ部とロ部のバランスにより、搬送物の搬送余剰分の掻き取りは、本掻き板装置１０により正常に行われる。
この間に、ハ部に落下物がある場合には、図４（ｅ）に示すように、このときの重量バランスは、  イ重量＜ロ＋ハ重量  となり、上板１１と下板１２はともに右回転し、搬送物Ｇを後方へ吐き出すので、この場合も搬送物Ｇに圧密作用を与えることがない。これにより正常な掻き取りが繰り返される。
【００１７】
【発明の効果】
以上の通り本発明によれば、ごみなどの搬送物を選別装置や焼却炉などにほぼ均一の量でコンスタントに供給することができので、資源ごみの選別を安定化して行うことができ、また焼却炉内で安定した燃焼を行わせることができる。また供給コンベヤの負荷変動が少なくなり、トリップ等のトラブルの発生がほとんどなくなった。
コンベヤで送られるごみなどの搬送物は、本掻き取り装置で掻き取られた厚みで、安定して送られるので、落下物は少なくなる。また、本装置によると、正常な掻き取りが繰り返されるので稼働に伴う異音や騒音レベルを低くおさえることができる利点がある。
【図面の簡単な説明】
【図１】図１は、本発明たる調量機付きコンベヤ１の一実施形態を示す側面図である。
【図２】図２は、本発明に用いる調量機構の分解図で、（ａ）は調量機構を構成する掻き板を示す説明図であり、（ｂ）と（ｃ）はその支承軸と承部材を示す説明図である。
【図３】図３は、図２の調量機構をコンベヤ立ち上がりコーナ部分に設けた状態を示した概略縦断面図である。
【図４】図４の（ａ）〜（ｅ）は、本発明に用いる調量機構の作用を示した説明図である。
【図５】図５の（ａ）と（ｂ）は、従来の調整機構の作用を示した説明図である。
【図６】図６の（ａ）〜（ｃ）は、同じく他の調整機構の作用を示した説明図である。
【符号の説明】
１  コンベヤ
２  ホッパ
３  選別装置
４  コンベヤの立ち上がり部
５  載置面
１０  掻き取り装置
１１，１２  掻き板
１３  軸部材
１４  承け部材
１５  フレーム
２０  掻き取りバー
２１  掻き板
【図１】
0004290801.tif 000002
【図２】
0004290801.tif 000003
【図３】
0004290801.tif 000004
【図４】
0004290801.tif 000005
【図５】
0004290801.tif 000006
【図６】
0004290801.tif 000007